(57)【要約】      （修正有）【課題】フード用結束帯の端部に設けられた係合部が背中に触れることがないため着心地が良く、巻いて折りたたんだフードが首周りの保温機能を有するフード付き衣服を提供する。【解決手段】フード３を襟２に有する衣服であって、一端部がフード３の外側であって、フード３と襟２との縫合線４の近傍に取り付けられ、他端部が自由端となった係合部６が設けられたフード用結束帯５と、衣服１の内側で後ろ身頃１ａまたは後ろ身頃１ａの近傍に取り付けられ、係合部６が係止可能な被係合部９と、を有し、フード３を衣服１の内側で内向きに巻いて折り畳んだ状態でフード用結束帯５を折り返してフード３の外側からフード３を拘束した状態で係合部６を被係合部９に係止する。【選択図】図４
0003219866.tif 000002
【実用新案登録請求の範囲】
【請求項１】
フードを襟に有する衣服であって、
一端部が前記フードの外側であって、前記フードと前記襟との縫合線の近傍に取り付けられ、他端部が自由端となった係合部が設けられたフード用結束帯と、
前記衣服の内側で後ろ身頃または前記後ろ身頃の近傍に取り付けられ、前記係合部が係止可能な被係合部と、
を有し、
前記フードを前記衣服の内側で内向きに巻いて折り畳んだ状態で前記フード用結束帯を折り返して前記フードの外側から前記フードを拘束した状態で前記係合部を前記被係合部に係止することを特徴とするフード付き衣服。
【請求項２】
前記フードは、内部に保温材を有し、巻いて折り畳んだ状態で、前記襟に対応する位置に拘束されて首周りの保温機能を有することを特徴とする請求項１に記載のフード付き衣服。
【請求項３】
前記衣服の外側で前記後ろ身頃と前記襟との前記第２の縫合線の近傍に取り付けられ、他端部に前記係合部が係止可能な第２の被係合部を有することを特徴とする請求項１または請求項２に記載のフード付き衣服。
【請求項４】
前記被係合部は、一端部が前記衣服の内側に取り付けれ、他端部が自由端となった係止タブに取り付けられたことを特徴とする請求項１乃至３のいずれか１項に記載のフード付衣服。
【請求項５】
前記第２の被係合部は、一端部が前記衣服の外側に取り付けれ、他端部が自由端となった第２の係止タブに取り付けられたことを特徴とする請求項３に記載のフード付衣服。
【請求項６】
前記襟は、前記フードと、前記後ろ身頃と前身頃を含む身頃との間の全長に亘って設けられていることを特徴とする請求項１乃至５のいずれか１項に記載のフード付衣服。
【考案の詳細な説明】
【技術分野】
【０００１】
本考案は、フード付き衣服に関するものである。
【背景技術】
【０００２】
従来からフード付き衣服が知られている。特許文献１には、フード付き衣服の内側で内向きに巻いて折り畳んだフードを、衣服の内側に設けられた長尺状のフード用結束紐を折り返してフードの外側から拘束し、フード用結束紐の端部に設けられた面ファスナーを衣服の外側に設けられた面ファスナーに結合してフードを収納することが記載されている。
【先行技術文献】
【特許文献】
【０００３】
【特許文献１】実用新案登録第３１７１９９２号公報
【考案の概要】
【考案が解決しようとする課題】
【０００４】
しかしながら、特許文献１では、フードを開放した状態で着衣したとき、長尺状のフード用結束紐の端部に設けられた面ファスナーが背中に触れる位置にあるため着心地が悪いといった問題があった。
【０００５】
本考案は前記課題を解決するものであり、その目的とするところは、フード用結束帯の端部に設けられた係合部が背中に触れることがないため着心地が良く、巻いて折り畳んだフードが首周りの保温機能を有するフード付き衣服を提供せんとするものである。
【課題を解決するための手段】
【０００６】
前記目的を達成するための本考案に係るフード付き衣服の代表的な構成は、フードを襟に有する衣服であって、一端部が前記フードの外側であって、前記フードと前記襟との縫合線の近傍に取り付けられ、他端部が自由端となった係合部が設けられたフード用結束帯と、前記衣服の内側で後ろ身頃または前記後ろ身頃の近傍に取り付けられ、前記係合部が係止可能な被係合部と、を有し、前記フードを前記衣服の内側で内向きに巻いて折り畳んだ状態で前記フード用結束帯を折り返して前記フードの外側から前記フードを拘束した状態で前記係合部を前記被係合部に係止することを特徴とする。
【考案の効果】
【０００７】
本考案によれば、フード用結束帯の端部に設けられた係合部が背中に触れることがないため着心地が良く、巻いて折り畳んだフードが首周りの保温機能を有するフード付き衣服を提供することが出来る。
【図面の簡単な説明】
【０００８】
【図１】本考案に係るフード付き衣服の構成を示す斜視図である。
【図２】（ａ）は、本考案に係るフード付き衣服を外側で背面側から見た図である。（ｂ）は、（ａ）の部分斜視図である。
【図３】（ａ）は、本考案に係るフード付き衣服を広げた状態で外側から見た図である。（ｂ）は、本考案に係るフード付き衣服を広げた状態で内側から見た図である。
【図４】（ａ）は、フードを衣服の内側で内向きに巻き始める状態を示す図である。（ｂ）は、フードを衣服の内側で内向きに巻いて折りたたむ途中の状態を示す図である。（ｃ）は、フードを衣服の内側で内向きに巻いて折り畳んだ状態でフード用結束帯を折り返してフードの外側からフードを拘束した状態で係合部を被係合部に係止した状態を示す図である。
【考案を実施するための形態】
【０００９】
図により本考案に係るフード付き衣服の一実施形態を具体的に説明する。
【００１０】
図１に示すフード付き衣服１は、図２（ａ）及び図３（ａ）に示すように、フード３を襟２に有する衣服１である。フード３は、内部に保温材を有する。保温材としては、綿（わた）、ダウン、フェザー、合成樹脂繊維などによって作られている。図３（ａ），（ｂ）に示すように、襟２は、フード３と、後ろ身頃１ａと前身頃１ｂを含む身頃１ｃとの間の全長に亘って設けられている。
【００１１】
衣服１の外側で襟２とフード３との第１の縫合線４上に長尺状のフード用結束帯５の一端部５ａが設けられている。フード用結束帯５の一端部５ａは、フード３の外側であって、フード３と襟２との第１の縫合線４の近傍に取り付けられている。フード用結束帯５の他端部５ｂは、自由端となった係合部６が設けられている。
【００１２】
フード用結束帯５の全長は、図４（ｃ）に示すように、フード３を衣服１の内側で内向きに巻いて折り畳んだ状態で、フード用結束帯５を折り返してフード３の外側からフード３を拘束し得る長さを有して構成されている。フード用結束帯５は、衣服１の表地と同じ生地で構成されている。
【００１３】
一方、図３（ｂ）に示すように、衣服１の内側で後ろ身頃１ａと襟２との第２の縫合線７上に係止タブ８の一端部８ａが設けられている。係止タブ８の他端部８ｂには、フード用結束帯５の他端部５ｂに設けられた係合部６が係止可能な被係合部９が設けられている。被係合部９は、衣服１の内側で後ろ身頃１ａまたは後ろ身頃１ａ近傍に取り付けられている。被係合部９は、一端部８ａが衣服１の内側に取り付けられ、他端部８ｂが自由端となった係止タブ８に取り付けれられている。
【００１４】
ここで、衣服１の身頃（みごろ）１ｃとは、襟（えり）２や袖（そで）に対して胴の部分をいう。衣服１の前面側を前身頃（まえみごろ）１ｂといい、背面側を後ろ身頃（うしろみごろ）１ａという。
【００１５】
図４（ａ）〜（ｃ）に示すように、フード３を衣服１の内側で内向きに巻いて折り畳んだ状態で、フード用結束帯５を折り返してフード３の外側からフード３を拘束した状態で、フード用結束帯５の他端部５ｂに設けられた係合部６を係止タブ８の他端部８ｂに設けられた被係合部９に係止する。
【００１６】
係合部６と被係合部９とは、雄雌のホックなどを使用することができる。係止タブ８の全長は、フード用結束帯５の全長よりも短く、フード３を開放した状態で衣服１を着衣したとき、背中に触ることもないため係合部６と被係合部９とを雄雌の面ファスナーを用いても良い。
【００１７】
図１及び図４（ｃ）に示すように、フード３は、衣服１の内側で内向きに巻いて折り畳んだ状態で、フード用結束帯５により拘束されたとき、フード３が襟２に対応する位置に拘束されている。これにより格納したフード３が襟２の厚さを増して首周りの保温機能を有する。
【００１８】
図１及び図２（ｂ）に示すように、衣服１の外側で後ろ身頃１ａと襟２との第２の縫合線７上で、図３（ｂ）に示す係止タブ８の一端部８ａが設けられた位置に対応して第２の係止タブ１０の一端部１０ａが設けられている。第２の係止タブ１０の他端部１０ｂには、フード用結束帯５の他端部５ｂに設けられた係合部６が係止可能な第２の被係合部１１が設けられている。第２の被係合部１１は、衣服１の外側で後ろ身頃１ａと襟２との第２の縫合線７の近傍に取り付けられている。第２の被係合部１１は、一端部１０ａが衣服１の外側に取り付けられ、他端部１０ｂが自由端となった第２の係止タブ１０に取り付けられている。第２の係止タブ１０は、衣服１の表地と同じ生地で構成される。係止タブ８と第２の係止タブ１０とは、衣服１の内外で対向する位置に設けられている。また、係止タブ８の被係合部９と、第２の係止タブ１０の第２の被係合部１１とは、フード用結束帯５の係合部６に共通して係止可能である。
【００１９】
フード３を開放した状態では、図２（ｂ）に示すように、フード用結束帯５の係合部６を第２の係止タブ１０の第２の被係合部１１に係止してフード用結束帯５を拘束する。
【産業上の利用可能性】
【００２０】
本考案の活用例として、防寒着等に適用できる。
【符号の説明】
【００２１】
１…フード付き衣服
１ａ…後ろ身頃
１ｂ…前身頃
１ｃ…身頃
２…襟
３…フード
４…第１の縫合線
５…フード用結束帯
５ａ…一端部
５ｂ…他端部
６…係合部
７…第２の縫合線
８…係止タブ
８ａ…一端部
８ｂ…他端部
９…被係合部
１０…第２の係止タブ
１０ａ…一端部
１０ｂ…他端部
１１…第２の被係合部
【図１】
0003219866.tif 000003
【図２】
0003219866.tif 000004
【図３】
0003219866.tif 000005
【図４】
0003219866.tif 000006
【手続補正書】
【提出日】平成30年12月3日(2018.12.3)
【手続補正１】
【補正対象書類名】実用新案登録請求の範囲
【補正対象項目名】全文
【補正方法】変更
【補正の内容】
【実用新案登録請求の範囲】
【請求項１】
フードを襟に有する衣服であって、
一端部が前記フードの外側であって、前記フードと前記襟との縫合線の近傍に取り付けられ、他端部が自由端となった係合部が設けられたフード用結束帯と、
前記衣服の内側で後ろ身頃または前記後ろ身頃の近傍に取り付けられ、前記係合部が係止可能な被係合部と、
を有し、
前記フードを前記衣服の内側で内向きに巻いて折り畳んだ状態で前記フード用結束帯を折り返して前記フードの外側から前記フードを拘束した状態で前記係合部を前記被係合部に係止することを特徴とするフード付き衣服。
【請求項２】
前記フードは、内部に保温材を有し、巻いて折り畳んだ状態で、前記襟に対応する位置に拘束されて首周りの保温機能を有することを特徴とする請求項１に記載のフード付き衣服。
【請求項３】
前記衣服の外側で前記後ろ身頃と前記襟との第２の縫合線の近傍に取り付けられ、他端部に前記係合部が係止可能な第２の被係合部を有することを特徴とする請求項１または請求項２に記載のフード付き衣服。
【請求項４】
前記被係合部は、一端部が前記衣服の内側に取り付けれ、他端部が自由端となった係止タブに取り付けられたことを特徴とする請求項１乃至３のいずれか１項に記載のフード付衣服。
【請求項５】
前記第２の被係合部は、一端部が前記衣服の外側に取り付けれ、他端部が自由端となった第２の係止タブに取り付けられたことを特徴とする請求項３に記載のフード付衣服。
【請求項６】
前記襟は、前記フードと、前記後ろ身頃と前身頃を含む身頃との間の全長に亘って設けられていることを特徴とする請求項１乃至５のいずれか１項に記載のフード付衣服。